(57)【要約】【課題】織機において織物の滑りを軽減または発生しないようにする布ドローオフ装置を提供すること。【解決手段】織機において織物８を巻き取るための布ドローオフ装置１０であって、織物がそのまわりで導かれる２つの被駆動ドローイン・ローラ３、５、および任意選択で、あるいは場合によって、織物を２つのドローイン・ローラに押し付けるためのそれぞれの加圧ローラ４、６を含む布ドローオフ装置１０が提供される。【選択図】図２
2008144335.tif 000002
【特許請求の範囲】
【請求項１】
織機において織物を引き取るための布ドローオフ装置であって、前記織物がそのまわりで導かれる第１の被駆動ドローイン・ローラを有する布ドローオフ装置において、前記織物がそのまわりで導かれる第２の被駆動ドローイン・ローラをさらに含むことを特徴とする布ドローオフ装置。
【請求項２】
前記織物を前記第１または第２のドローイン・ローラに押し付けるために、少なくとも１つの加圧ローラをさらに含む請求項１に記載の布ドローオフ装置。
【請求項３】
前記第１および第２のドローイン・ローラのそれぞれが駆動手段に接続されており、また前記第１および第２のドローイン・ローラは、互いに連結されており、且つ／または前記ドローイン・ローラが同じ回転方向を有するように設計されている請求項１または請求項２に記載の布ドローオフ装置。
【請求項４】
前記駆動手段は、前記ドローイン・ローラが反対の回転方向を有するように設計されている請求項３に記載の布ドローオフ装置。
【請求項５】
前記２つのドローイン・ローラの少なくとも１つが、摩擦クラッチによってそれぞれの前記駆動手段に接続されている請求項３または請求項４のいずれか一項に記載の布ドローオフ装置。
【請求項６】
前記第２のドローイン・ローラは、前記第１のドローイン・ローラから所定の距離をおいて配置されており、且つ／または前記ドローイン・ローラは上下に配置されており、且つ／または前記２つのドローイン・ローラのうちの１つは、クロス・ビームに代えて、織機に取り付けられている請求項１から請求項５までのいずれか一項に記載の布ドローオフ装置。
【請求項７】
前記布ドローオフ装置が、前記第１のドローイン・ローラの前に配置された転向ローラまたは転向バーを含み、とりわけ、例えば低摩擦コーティングを備えている点で低い摩擦を有するように設計された転向ローラまたは転向バーを含む請求項１から請求項６までのいずれか一項に記載の布ドローオフ装置。
【請求項８】
反対向きに移動する織物の部分が互いに接触しないように、前記第１のドローイン・ローラと前記第２のドローイン・ローラとの間に配置された転向装置をさらに含む請求項１から請求項７までのいずれか一項に記載の布ドローオフ装置。
【請求項９】
前記加圧ローラのうちの少なくとも１つが、それぞれの前記ドローイン・ローラの上に実質的に垂直に配置されている請求項２から請求項８までのいずれか一項に記載の布ドローオフ装置。
【請求項１０】
請求項１から請求項９までのいずれか一項に記載の布ドローオフ装置を含む織機。
【発明の詳細な説明】
【技術分野】
【０００１】
本発明は、請求項１の前文に記載されたような、織機において布を引き取るための布のテークアップ（巻取り）またはドローオフ（引取り）装置、ならびにこの種の布ドローオフ装置を備えた織機に関する。
【背景技術】
【０００２】
今日、布の品質に対して高い要求が出されている。これは、例えば自動車業界におけるエアバッグ用の織物（ファブリック）などのような技術的な織物に対して、ある程度まで当てはまる。この種の織物では、とりわけ横糸密度を正確に維持することが重要である。必要な横糸密度を得るために、比較的高い織物張力が作り出されなければならない。これは、布ドローオフ装置に対して厳しい要求を置く。なぜなら、一方では、あまり安く購入できない織物すなわちツルツルした織物は損傷してはならず、他方では、そのような織物はいかなる状況でも滑ってはならないからである。これらの要求の下、従来の布ドローオフ装置は、織物の滑りを完全に防ぐことができないという点においてその限界に達している。織物が滑ったとたん、織物のドローオフによって制御される横糸密度はもはや正確ではなくなる。織機が一時的に停止した場合には、織物が滑って戻ることによってストップ・マークが生じることがあり、あるいはより厳しい場合には機械に損傷を与えることがある。
【０００３】
エアバッグの場合のように２つの織物層を同時に上下にして織るときには、さらに他の問題が生じる。布ドローオフ装置において「引き」が織物層の一方のみに生じた場合、織物層の間のずれ、したがって折り目が発生する可能性がある。この場合、２つの織物層は、許容できない異なる横糸密度を有している。
【０００４】
従来型の布ドローオフ装置は、スイス特許第６１９４９７号明細書（ＣＨ−６１９４９７）に記載されている。記載された布ドローオフ装置は、織物がそのまわりに導かれる織物ドローオフ・ローラ（以下ではドローイン・ローラと呼ぶ）、およびドローイン・ローラに押し付けられる転向ローラ（以下では加圧ローラと呼ぶ）を含む。さらに、スイス特許第６１９４９７号明細書に記載された布ドローオフ装置は、ドローイン・ローラに対するラップ角度（巻き付け角度）βを大きくするために、ブレスト・ビームとドローイン・ローラの間のドローイン・ローラおよび加圧ローラの近くに配置された、追加の織物転向ポイントを含む。この手段によって、ドローイン・ローラ上で起こり得る織物の滑りを軽減することができる。しかし、前の項で説明したように、すべての場合にドローイン・ローラ上での織物の滑りを完全になくすには、この手段では不十分である。
【発明の開示】
【発明が解決しようとする課題】
【０００５】
本発明の目的は、織機において布を引き出すための布ドローオフ装置を利用可能とすることであり、それによって布ドローオフ装置での織物の滑りを軽減または発生しないようにすることである。さらに、布ドローオフ装置は、２層の織物を引き出すのにも適したものとすべきである。本発明の他の目的は、この種の布ドローオフ装置を有する織機を利用可能にすることにある。
【課題を解決するための手段】
【０００６】
この目的は、本発明に従って、請求項１に特徴を述べる布ドローオフ装置、および請求項１０に特徴を述べる織機によって達成される。
【０００７】
織機において織物を巻き取るための布ドローオフ装置は、織物がそのまわりで導かれる第１の被駆動ドローイン・ローラ、およびさらに、織物がそのまわりで導かれる第２の被駆動ドローイン・ローラを含む。ドローイン・ローラに対するラップ角度、すなわち、それぞれの場合に織物がドローイン・ローラに接触した状態にある角度はできるだけ大きいことが好ましく、例えば１００°〜３５６°、有利には１８０°〜３５０°である。好ましい実施例では、布ドローオフ装置は、織物を第１または第２のドローイン・ローラに押し付けるために少なくとも１つの加圧ローラも含んでいる。
【０００８】
他の好ましい実施例では、第１および第２のドローイン・ローラはそれぞれ、例えばドライブ・シャフト、および／または歯車、および／またはチェーン・スプロケットなど、互いに連結された駆動手段に接続される。連結は、例えばそれぞれのチェーン・スプロケットおよびチェーンによって行うことができる。駆動手段は、第１の変形形態では、ドローイン・ローラが同じ回転方向を有するように設計され、第２の変形形態では、ドローイン・ローラが反対の回転方向を有するように設計される。２つのドローイン・ローラの少なくとも１つを、スリップ連結または摩擦クラッチによってそれぞれの駆動手段に接続することが好ましい。
【０００９】
第２のドローイン・ローラを、第１のドローイン・ローラからある距離をおいて配置することが好ましく、またドローイン・ローラを上下に配置することが好ましく、それによって、例えば２つのドローイン・ローラのうちの１つを、クロス・ビームに代えて織機に取り付けることが可能になる。
【００１０】
他の好ましい実施例では、布ドローオフ装置はさらに、第１のドローイン・ローラの前に配置された転向ローラまたは転向バーを含む。転向ローラまたは転向バーは、例えば硬質のクロム層など、つや消しまたはブラスト処理が可能な低摩擦コーティングを備え、低い摩擦を有するように設計されることが好ましい。
【００１１】
他の好ましい実施例では、布ドローオフ装置はさらに、反対向きに移動する織物の部分が互いに接触しないように、第１のドローイン・ローラと第２のドローイン・ローラの間に配置された転向装置を含む。特にドローイン・ローラを上下に配置したときには、上側のドローイン・ローラまたは上側の加圧ローラから来る織物部分が、下側のドローイン・ローラへ向かう途中で上側のドローイン・ローラのまわりに導かれる布と接触する確率が高まり、接触点における織物の部分の移送方向が互いに反対であるため、それによって望ましくない摩擦応力、あるいは２層の織物の場合には織物層の相互のずれが生じる恐れがある。第１のドローイン・ローラと第２のドローイン・ローラの間に転向装置を追加することによって、反対向きに移動する織物の部分が互いに接触する状況を防ぐことが可能になる。
【００１２】
他の好ましい実施例では、加圧ローラの少なくとも１つが、それぞれのドローイン・ローラの上に実質的に垂直に配置される。実質的に垂直に配置することにより、それぞれの加圧ローラの重量によって発生する押圧力が最大になる。ドローイン・ローラを上下に配置し、上側の加圧ローラを上側のドローイン・ローラの上に実質的に垂直に配置した場合には、第１のドローイン・ローラと第２のドローイン・ローラの間の織物部分に作用する張力によって、上側の加圧ローラの押圧力を強める別の力の成分が生じる。
【００１３】
さらに本発明は、前述の実施例の任意のものによる布ドローオフ装置を有する織機を含む。
【００１４】
本発明による布ドローオフ装置は、布ドローオフ装置における織物の滑りを軽減または発生しないようにするという利点を有する。さらに、例えば前述のように織物の転向が低い摩擦を伴うように設計されているため、２層の織物の場合における折り目の発生を許容できる程度まで減らすことが可能になる。さらに、ドローオフ装置の後ろでいつでも、製織工程を妨げずに織物を切断することが可能であり、このことはとりわけ、ドローオフ動作を助けるためのクロス・ビームおよび外部のドローオフ装置が設けられていないときに有利である。本発明による布ドローオフ装置は、有利には同じ設計である２つの別々の布ドローオフ装置から形成することができる。例えば、それぞれがドローイン・ローラおよび加圧ローラを有する２つの従来型の布ドローオフ装置とすることができる。これによって、簡単かつ経済的な製造が可能になる。
【００１５】
実施例についての先の記述は、単に実施例として役立つにすぎない。他の有利な実施例は、従属請求項および図面から得られる。さらに、新規の実施例を作成するために、記載または図示した実施例の個々の特徴を、本発明の文脈において互いに組み合わせることも可能である。
【００１６】
以下では例示的な実施例および図面を参照して、本発明をさらに詳しく説明する。
【実施例】
【００１７】
本発明による布ドローオフ装置の例示的な実施例を有する織機について図１に示した図では、織機は、そこから縦糸が送られるワープ・ビーム１５、縦糸を転向させるバックレスト・ローラ１４、および個々の縦糸を上下させることによって杼口１１を形成する杼口形成装置１３を含む。さらに、図示した織機は、杼口１１に挿入された横糸を布端まで筬打ちするために筬１２（図示していない）を含む。このように形成された織物８は、織物８がそのまわりに導かれる２つの被駆動ドローイン・ローラ３、５を含む布ドローオフ装置１０によって、織物サポート１上で引き出される。図１に示した織機は、単なる実施例と考えるべきである。本発明の文脈から逸脱することなく、個々の構成要素の修正および図示した配置の変更が可能である。図１に示した利用法では、織機で製造された織物８は、バッチ・ワインダ２１へ導かれる。この利用法も単なる実施例にすぎない。
【００１８】
図２は、図１に示した本発明による布ドローオフ装置の例示的な実施例の詳細図である。図２では、織物８は織物サポート１および転向ローラまたは転向バー２の上を通して、布ドローオフ装置１０へ導かれる。図では、引き出す方向を矢印９によって示してある。本発明による布ドローオフ装置は、織物がそのまわりに導かれる第１の被駆動ドローイン・ローラ３、さらに織物がそのまわりに導かれる第２の被駆動ドローイン・ローラ５を含む。有利な変形形態では、ドローイン・ローラ３、５は互いに所定の距離をおいて配置されること、例えば図２に示すように上下に配置することができる。有利な実施例では、布ドローオフ装置は、織物をそれぞれのドローイン・ローラ３、５に押し付けるために、それぞれに加圧するためのローラ４、６も含む。布ドローオフ装置１０は、例えば、それぞれがドローイン・ローラ３、５および加圧ローラ４、６を含む２つの別々の布ドローオフ装置で構成することも可能である。有利な変形形態では、当該織機にクロス・ビームが設けられていない場合、クロス・ビームの代わりに下側のドローイン・ローラ５を取り付けることができる。
【００１９】
他の有利な変形形態では、加圧ローラの少なくとも１つが、それぞれのドローイン・ローラの上に実質的に垂直に配置される。例えば図２では、上側の加圧ローラ４が、上側のドローイン・ローラ３の上に実質的に垂直に配置されている。したがって上側の加圧ローラの全重量を押圧力に利用することができる。例えば図２に示すように第２のドローイン・ローラが第１のドローイン・ローラ３の下に配置されていると、第２のドローイン・ローラ５が織物に発生させる張力を用いて第１の加圧ローラ４の押圧力をさらに高めることができる。
【００２０】
例示的な実施例では、ドローイン・ローラ３、５はそれぞれ、例えばドライブ・シャフト、または歯車、またはチェーン・スプロケットなど互いに連結された駆動手段に接続される。駆動手段、したがってドローイン・ローラの連結は、例えばチェーンによって接続された２つのチェーン・スプロケットによって単に機械的に、あるいは同期化によって電気的に行うことができる。駆動手段は、第１の変形形態では、ドローイン・ローラ３、５が同じ回転方向を有するように連結され、第２の変形形態では、ドローイン・ローラの回転方向が反対になるように連結される。例えば２層の織物など回転方向が反対である場合、張力をいったんは上層に、いったんは下層に加えることができる。他の有利な変形形態では、例えば２つのドローイン・ローラの少なくとも１つがスリップ連結または摩擦クラッチによってそれぞれの駆動手段に接続されていること、および／または駆動手段の少なくとも１つが摩擦クラッチを備えていることにより、駆動手段相互間の連結がリジッドにならないように設計される。
【００２１】
図２に示すように、布ドローオフ装置は、第１のドローイン・ローラ３の前に配置された転向ローラまたは転向バー２を有することができる。この場合、転向ローラまたは転向バーは、例えば低摩擦および／またはつや消し処理された硬質のクロム層などのスライド・コーティングを備えているために、低い摩擦を有するように設計すると有利である。さらに、それぞれの織物部分の間での接触を回避するために、布ドローオフ装置の第１のドローイン・ローラ３と第２のドローイン・ローラ５の間に、例えばローラまたはバーまたは区分材（セクション）の形の転向装置７を設けることができる。この転向装置がない場合、通常、接触し得る箇所での織物部分の移動方向が反対になるため、接触点に望ましくない摩擦応力が生じる。第１のドローイン・ローラと第２のドローイン・ローラの間の転向装置７も、低摩擦設計のものにすると有利である。
【００２２】
本発明による布ドローオフ装置を有する織機は、例えば横糸密度を正確に維持しなければならない技術を必要とする織物など、高品質の織物の製造に適している。したがって、装備された織機も２層の織物の製造に適しており、従来型の織機に比べて織物の層間のずれによる折り目の発生が少なくなる。さらに、布ドローオフ装置が既に第１の被駆動ドローイン・ローラを有しており、一方、他の通常のクロス・ビームを、織物がそのまわりに導かれる第２のドローイン・ローラに置き換える場合には、本発明による布ドローオフ装置を織機に簡単に取り付けることができ、これは特に有利である。この場合、一般に存在するクロス・ビームを、第２のドローイン・ローラ用の駆動装置として用いることができる。
【図面の簡単な説明】
【００２３】
【図１】本発明による布ドローオフ装置の例示的な実施例を有する織機の概略図である。
【図２】図１に示した布ドローオフ装置の例示的な実施例の詳細図である。
【符号の説明】
【００２４】
１  織物サポート
２  転向ローラ、転向バー
３、５  被駆動ドローイン・ローラ
４、６  加圧ローラ
７  転向装置
８  織物
１０  布ドローオフ装置
１１  杼口
１２  筬
１３  杼口形成装置
１４  バックレスト・ローラ
１５  ワープ・ビーム
２１  バッチ・ワインダ
【図１】
2008144335.tif 000003
【図２】
2008144335.tif 000004
【外国語明細書】
2008144335.tif 000005
2008144335.tif 000006
2008144335.tif 000007
2008144335.tif 000008
2008144335.tif 000009
2008144335.tif 000010
2008144335.tif 000011
2008144335.tif 000012
2008144335.tif 000013
2008144335.tif 000014
2008144335.tif 000015
2008144335.tif 000016
2008144335.tif 000017
2008144335.tif 000018